(57)【要約】【課題】全方位に対して指向性パターンを一度に形成できる２次元アレーアンテナに、不要波と所望波の両方に拘束条件が設定可能なＤＣＭＰ法を適用する。また、測位用衛星からの電波を受信する際、マルチパスによる影響を回避して、例えば低仰角からの電波も利用できるようにし、マルチパスが多く発生する劣悪な環境下でも高精度に測位する。【解決手段】複数の素子アンテナ１ａ，１ｂ・・・１ｎを２次元上に配置した２次元アレーアンテナ１を備え、各素子アンテナの受信信号強度を１次元の列ベクトルとしてデータ化し、所望波および／または不要波の到来方向を拘束条件としてＤＣＭＰ法により最適複素重みを求める。この最適複素重みを複素重み付与部２へ与えることによって、ＧＰＳ受信機５は所定の指向性パターンのもとで受信を行う。【選択図】  図１
2004336390.tif 000002
【特許請求の範囲】
【請求項１】
複数の励振素子を２次元上に配置した２次元励振素子アレーと、各励振素子の受信信号に対して、設定された複素重みを乗じるとともにそれらの結果を加算して１つの受信信号を求める受信信号処理手段を備え、該受信信号処理により２次元励振素子アレーの指向性パターンを制御するようにしたアダプティブアレーにおいて、
各励振素子の受信信号の強度を１次元の列ベクトルとしてデータ化する手段と、該データの相関行列データと、設定された所望波および／または不要波の到来方向を拘束条件としてＤＣＭＰ法により最適複素重みを求める解析手段と、該最適複素重みを前記受信信号処理手段に設定する手段とを備えたアダプティブアレー。
【請求項２】
前記２次元上に配置された励振素子の受信信号による２次元受信データ行列から複数の小行列を抽出し、該小行列毎に相関行列を求め、それら複数の小行列について求めた相関行列の１次元の列ベクトルを平均化して平均相関行列を求める手段を備え、前記解析手段は、該平均相関行列について解析処理を行うようにした請求項１に記載のアダプティブアレー。
【請求項３】
前記複数の励振素子は、平面上で十字状に直交するように配置した請求項１または２に記載のアダプティブアレー。
【請求項４】
請求項１〜３のいずれかに記載のアダプティブアレーを備え、前記励振素子を測位用衛星からの受信信号を受ける素子アンテナとし、前記アダプティブアレーによる測位用衛星からの受信信号を基に当該アダプティブアレーの位置を測位するとともに測位用衛星の方向を求める手段を設け、前記解析手段は測位用衛星の方向を前記所望波の到来方向とする拘束条件で前記ＤＣＭＰ法を適用するようにした測位装置。
【発明の詳細な説明】
【０００１】
【発明の属する技術分野】
この発明は、複数の励振素子を２次元状に配置した２次元励振素子アレーを備え、その２次元励振素子アレーの指向性パターンを制御するようにしたアダプティブアレーおよびそれを備えた測位装置に関するものである。
【０００２】
【従来の技術】
複数の素子アンテナを配列し、その全部または一部を励振するようにしたアレーアンテナは所望の指向性パターンを得ることができ、その特性を生かして種々の分野で利用されている。
【０００３】
ところで、ＧＰＳ  （Ｇｌｏｂａｌ  Ｐｏｓｉｔｉｏｎｉｎｇ  Ｓｙｓｔｅｍ）におけるデータ受信において、一般にマルチパス（多重伝搬）の問題がある。これは人工衛星からの電波が建物や地面など複数の箇所で反射し、反射をしない直接波に重畳して受信アンテナに入射することによって生ずる。マルチパスが生じると、直接波と反射波が干渉し、位置計測の精度の低下をもたらし、最悪の場合には計測不可能となってしまう。例えば仰角２０度以下では、地上からの各種不要信号や雑音によってＧＰＳ衛星からの信号を分離・検出することが困難になる。
【０００４】
このような不都合への対策はいくつか提案されているが、ハード的な対処法の一つとして、アンテナのアレー化がある（非特許文献１参照）。アレー化によって、各素子アンテナの出力に適当な複素数の重みを乗算する、すなわち各素子アンテナの受信電波の振幅と位相をそれぞれ適当に操作することによって、直接波の到来方向にのみ指向性をもたせるのである。
【０００５】
以下、直接信号波を所望波、干渉を引き起こす反射波を単に不要波と言う。
【０００６】
アレーアンテナのデータ処理に関しては、各種のアダプティブなアルゴリズムが報告されている（非特許文献２参照）。ここでアダプティブとは、電波を受信しながら複素重みを逐次修正して、アンテナの指向性パターンを所望の形状に適応させていくことを意味する。
【０００７】
【非特許文献１】
吉田孝監修，”  改訂レーダ技術”  ，電子情報通信学会編，コロナ社，１９９６．
【非特許文献２】
菊間信良，”  アレーアンテナによる適応信号処理”  ，科学技術出版社，１９９８．
【０００８】
【発明が解決しようとする課題】
ところで、ＧＰＳ電波は地平面または水平面より上の全方向から到来するので、その到来方向を瞬時に計測するためには、複数の素子アンテナを２次元配置してアレーアンテナを２次元形状にする必要がある。しかし、２次元アレーアンテナに関するＤＣＭＰ法に関しては、上記非特許文献１，非特許文献２を含めて明確な形では公表されていない。これはアンテナのサイズやコストの問題があることと、素子アンテナ間で干渉が生じやすいという装置的な問題があるためだと考えられる。したがって、技術的な性能評価もほとんどなされていない。
【０００９】
そこで、この発明の目的は、不要波と所望波の両方に自由に拘束条件が設定可能なＤＣＭＰ法に着目し、これを全方位に対して指向性パターンを一度に形成できる２次元アレーアンテナに適用したアダプティブアレーを提供することにある。
【００１０】
また、この発明の他の目的は、測位用衛星からの電波を受信する際、マルチパスによる影響を回避して、例えば低仰角からの電波も利用できるようにして、マルチパスが多く発生する劣悪な環境下でも高精度に測位にできるようにした測位装置を提供することにある。
【００１１】
【課題を解決するための手段】
この発明は、複数の励振素子を２次元上に配置した２次元励振素子アレーと、各励振素子の受信信号に対して、設定された複素重みを乗じるとともにそれらの結果を加算して１つの受信信号を求める受信信号処理手段を備え、該受信信号処理により２次元励振素子アレーの指向性パターンを制御するようにしたアダプティブアレーにおいて、各励振素子の受信信号の強度を１次元の列ベクトルとしてデータ化する手段と、該データの相関行列データと、設定された所望波および／または不要波の到来方向を拘束条件としてＤＣＭＰ法により最適複素重みを求める解析手段と、該最適複素重みを前記受信信号処理手段に設定する手段とを備えたことを特徴としている。
【００１２】
このように、各励振素子の受信信号の強度を１次元の列ベクトルとしてデータ化することにより、そして、その列ベクトルに対してＤＣＭＰ法により最適複素重みを求めることにより、複数の素子アンテナを２次元状に配置した２次元励振素子アレーで所望の２次元指向性パターンを得る。
【００１３】
また、この発明は、前記２次元上に配置された励振素子の受信信号による２次元受信データ行列から複数の小行列を抽出し、該小行列毎に相関行列を求め、それら複数の小行列について求めた相関行列の１次元の列ベクトルを平均化して平均相関行列を求める手段を備え、前記解析手段は、該平均相関行列について解析処理を行うようにしたことを特徴としている。
【００１４】
このように、２次元受信データ行列から複数の小行列を抽出し、それらの小行列について求めた相関行列の１次元の列ベクトルを平均化することによって空間平均を行う。このことにより、複数の励振素子が隣接配置していることに伴う相互干渉による影響を緩和する。
【００１５】
また、この発明は、前記複数の励振素子を、平面上で十字状に直交するように配置する。このことにより、複数の励振素子間の隣接関係を緩和し、且つ、少ない励振素子で２次元励振素子アレーとして作用させる。
【００１６】
また、この発明は、前記アダプティブアレーを備え、前記励振素子を測位用衛星からの受信信号を受ける素子アンテナとし、前記アダプティブアレーによる測位用衛星からの受信信号を基に当該アダプティブアレーの位置を測位するとともに測位用衛星の方向を求める手段を設け、前記解析手段が測位用衛星の方向を前記所望波の到来方向とする拘束条件で前記ＤＣＭＰ法を適用するようにしたことを特徴としている。
【００１７】
このようにして測位用衛星からの直接波のみを受信することにより、マルチパスの発生する環境下でも高精度な測位を維持する。
【００１８】
【発明の実施の形態】
実施形態に係るアダプティブアレーおよびそれを用いた測位装置について、各図を参照して説明する。
図１は、その全体の構成を示すブロック図である。ここで１は、複数の素子アンテナ１Ａ  ，１Ｂ  ・・・１Ｍ  を２次元状に配置したアレーアンテナである。２で示す部分は、各素子アンテナ１Ａ  〜１Ｍ  の受信信号に対して複素重みを与える複素重み付与部である。２１Ａ  ，２１Ｂ  ・・・２１Ｍ  は各素子アンテナの受信信号の振幅を調整する振幅調整器、２２ａ，２２ｂ・・・２２ｎは各素子アンテナの信号の位相を調整する位相調整器である。これらの振幅調整および位相調整された各素子アンテナの受信信号は加算部３で加算されて１つの受信信号Ｐｏｕｔ  として求められる。
【００１９】
受信信号処理部４は、各素子アンテナ１Ａ  ，１Ｂ  ・・・１Ｍ  の受信信号を入力し、後に示す方法により各素子アンテナの受信信号に対して与えるべき複素重みを求め、複素重み付与部２の振幅調整器２１および位相調整器２２に対してそれぞれ相当する調整量を与える。
【００２０】
ＧＰＳ受信機５は、上記所定の指向性パターンのもとで受信された受信信号を入力してアレーアンテナ１の位置を求めるための処理を行う。また、求めたアレーアンテナ１の位置に対する各ＧＰＳ衛星の３次元方向を求め、それを受信信号処理部４へ与える。
【００２１】
次に、本願発明の実施形態であるアダプティブアレーの説明の前段階として１次元ＤＣＭＰ法について述べる。
図１において、素子アンテナ１Ａ  ，１Ｂ  ・・・１Ｍ  が１次元に配列されていて、所望波Ｓと不要波Ｕが異なる方向から入射するものとする。複素重み付与部２で各素子アンテナの出力（受信信号）に与えられる複素重みをＷ、その振幅をＡ、位相をδとすると、複素重み付与部２でＡｉ  ｅｘｐ  （ｊδｉ  ）（ｉ  ＝  １〜Ｍ）が乗算され、最終的にそれらが加算されてアレーアンテナ出力Ｐｏｕｔ  となる。
【００２２】
ここで、ＤＣＭＰ法では、以下の式を満足するようなＭ  ×１の列ベクトルからなる複素重みＷを求める。
【００２３】
【数１】
2004336390.tif 000003
【００２４】
【数２】
2004336390.tif 000004
【００２５】
ここで、
Ｃｌ  ；（５）  式で与えられるＭ  ×１の拘束ベクトル
Ｈｌ  ；（６）  式で与えられる拘束応答値
Ｌ  ；拘束数
上添字Ｔ，＊，Ｈはそれぞれ転置，複素共役，複素共役転置を表す。すなわち、（２）  式の拘束条件下で、（１）  式で表されるアレーアンテナからの最終的な出力電力Ｐｏｕｔ  を最小化するような複素重みＷを求める。ＲＸＸは各素子アンテナからの出力信号の相関行列であり、アレーアンテナ各素子の出力を時間ｔの関数として、
【００２６】
【数３】
2004336390.tif 000005
【００２７】
と列ベクトル表記すると、
【００２８】
【数４】
2004336390.tif 000006
【００２９】
で与えられる。ここで＜  ・＞  は時間平均を表す。また、第ｌ（エル）番目の入射波に対する拘束ベクトルＣｌ  と拘束応答値Ｈｌ  は次式で与えられる。
【００３０】
【数５】
2004336390.tif 000007
【００３１】
【数６】
2004336390.tif 000008
【００３２】
ここで、θは天頂角、φは方位角である。これらの角度は後に図３で示す二次元座標系で一般的に表したものである。一次元アレーの場合はφ＝０とする。式中のΨｉ  は、第ｉ番目の素子アンテナに入射する電波の基準素子アンテナに対する位相差であり、電波の入射方向と周波数ｆが既知であれば計算できる。また、Ｈｌ  は、指向性のヌルを強く形成するときには０、指向性を持たせたいときには１となるように定数Ｚｌ  ，ξｌ  を設定するが、状況に応じてその中間値にもできる。これらの条件から、最終的に最適な複素重みＷｏｐｔ  を、Ｌａｇｒａｎｇｅの未定係数法を用いて次式のように計算する。
【００３３】
【数７】
2004336390.tif 000009
【００３４】
ここで、Ｃは拘束ベクトルＣｌ  を列ベクトルとする大きさＭ  ×Ｌ  の拘束行列、ＨはＨｌ  を要素とするＭ  ×１  の拘束応答ベクトルである。このときアレーアンテナの角度指向性Ｄは次式で与えられる。
【００３５】
【数８】
2004336390.tif 000010
【００３６】
ここで、Ｖは素子アンテナの方向ベクトルである。長方形平面リニアアレーの場合、ｍ行ｎ列素子に対応するｉ  番目のベクトル要素は、第１番目の素子アンテナを位相基準点として、ｉ  ＝  ｍ  ＋  Ｍ（ｎ−１）  （ｍ  ＝  １  〜Ｍ，  ｎ  ＝  １〜Ｎ）とすると、
【００３７】
【数９】
2004336390.tif 000011
【００３８】
となる。ここで、ｄｘ，ｄｙはｘ（  横）  方向、ｙ（  縦）  方向の素子間隔であり、ｃは光速である。
【００３９】
図２は、複数の素子アンテナの２次元上への配置例を示している。（Ａ）の場合、５×５で合計２５個の素子アンテナを直交するマトリックスの各交点にそれぞれ配置している。また、（Ｂ）に示す例では、５×５のマトリックスを考えた時、第３行×第３例分に合計９個の素子アンテナを配置している。
【００４０】
図１に示した各素子アンテナ１Ａ  ，１Ｂ  ・・・１Ｍ  を２次元状に配置して、ＤＣＭＰ法を２次元アレーアンテナに適用する場合には、概念的には１次元の場合の拡張を行う。まず、大きさＭ  ×Ｎ  の二次元アレーで取得した受信データ行列を、ＭＮ×  １の列ベクトルに並べかえて処理する。図４に示す例では、Ｎ列を順に１列に並びかえるようにしているが、この並べかえの順に特別な意味はない、例えば、Ｍ  ×Ｎ  の受信データ行列の各要素をランダムに列ベクトルに並べかえてもよい。ただ、ここではデータの再構成の際に便利なようにＮ列を順に１列に並びかえる。
【００４１】
図４において、奥行き方向（紙面に垂直方向）は、時系列の受信データである。このようにして作成した列ベクトルを、一次元の場合の受信データベクトルＥ（ｔ）  と同様に見なして、相関行列Ｒｘｘ＝＜Ｅ（ｔ）  ＥＨ  （ｔ）  ＞を計算する。
【００４２】
空間平均処理を行う場合は、図５に示すように、Ｍ  ×Ｎ  の二次元アレー受信データ行列からすべての可能な組合せのｍ  ×ｎ  の小行列を抽出し、図４で示した操作によって列ベクトルに変換して相関行列を作成する。それらの各相関行列の単純平均操作を要素ごとに行うことによって、平均相関行列ＲＸＸ＾  を求める。拘束条件行列に対しても同様の処理を行う。それ以後の処理は、一次元ＤＣＭＰ法の場合と同様である。
【００４３】
図６は、２次元ＤＣＭＰ法の処理手順について示している。まず、各素子アンテナの受信信号をサンプリングし、ＡＤ変換してデータを収集する（ｓ１）。続いて、図４・図５に示した方法により２次元データの１次元化を行う（ｓ２）。そして、その１次元化データに対する相関行列の計算を行う（ｓ３）。この小行列の組み合わせ可能な全ての場合について相関行列を求める（ｓ４→ｓ２→・・・）。図５に示したように、大きさＭ×Ｎの二次元アレーによるＭ×Ｎの二次元アレー受信データ行列からｍ×ｎの小行列を抽出する場合、
（Ｍ−ｍ＋１）×（Ｎ−ｎ＋１）通りの場合について相関行列を求める。ここで、Ｍ＝Ｎ＝５、ｍ＝ｎ＝３とすると、９つの相関行列Ｒｘｘを求める。
【００４４】
続いて、求めた全ての相関行列を単純平均することによって、空間平均処理を行う（ｓ５）。その後、所望波の到来方向を拘束条件として設定し、ＤＣＭＰ法の計算を行う（ｓ６→ｓ７）。この計算によって、最適複素重みＷｏｐｔ  を求める（ｓ８）。そして、この複素重みＷｏｐｔ  を図１に示した複素重み付与部２へ与える（ｓ９）。必要に応じて以上の処理を繰り返すことによって所望の指向性パターンのもとで２次元アレーアンテナを用いた受信を行う（ｓ１０→ｓ１→・・・）。
【００４５】
次に、シミュレーションの結果を示す。
シミュレーションデータは以下のようにして作成した。まず、大きさＭ  ×Ｎ  の二次元アレーアンテナに対し、図３に示す（  θ，  φ）  座標系で、任意方向から複数個の振幅の異なる正弦波が入射するものとする。それらの入射波を各素子アンテナ上で時間ｔの関数として加算合成する。さらに合成値の最大値に対して任意のパーセンテージの標準偏差を有するガウスノイズを素子毎に独立に重畳させた。
したがってシミュレーションパラメータは、所望波Ｓおよび不要波Ｕを含めた入射波の個数ｗ、各入射波の入射角度（  θ，  φ）  、および所望波、不要波、ノイズのｄＢ値での相対強度Ｐｓ：  Ｐｕ：  Ｐｎ、ノイズの割合σ％、搬送波周波数ｆ、サンプリング周波数ｆｓ、全データ点数ＴＮ、アレーの素子数Ｍ  ×Ｎ  、素子間隔ｄ、空間平均のサイズｍ×ｎである。ここでは簡単のため、Ｍ＝Ｎ、ｍ＝ｎ＝ｋ、ｄｘ  ＝ｄｙ  ＝ｄとした。なお、実際のＧＰＳ受信機では、周波数をダウンコンバートして直交検波後Ｉ−Ｑサンプリングを行うか、アンダーサンプリング等の処理が行われるが、シミュレーションでは、本質的な違いはないので、ｆ＝１．５ＧＨｚの複素指数関数データを直接作成し、ｆｓ＝１５ＧＨｚでサンプリングした。
また、素子間隔ｄは搬送波周波数の波長の半分に固定（  ｄ＝ｃ／２ｆ（ｃは光速）  ）し、全データ点数ＴＮ＝１０，０００点とした。また、０  ≦θ≦９０、−１８０≦φ≦１８０  （単位は度）とし、空間平均のサイズｋ  は、一次元ＤＣＭＰ法の基礎実験から全素子数の２／３程度に設定した。また、十字形状アレーの場合の計算は、図２の（Ｂ）に示すように正方形状アレーのデータに対して、素子の存在しない部分のデータを零として計算を行った。
【００４６】
先ず、一次元リニアアレーアンテナにＤＣＭＰ法を適用した場合のシミュレーション結果の要点は次のとおりである。以下、添え字のｓ，  ｕ，  ｎ  は、それぞれ所望波、不要波、雑音を表し、数字は波の番号を表す。
【００４７】
・同一条件で、アレーの素子数を増加させると、所望波のメインローブの幅が狭くなり、結果として不要波の電力レベルも抑圧される。
【００４８】
・同一条件で、空間平均処理を行わない場合と行った場合を比較すると、行った場合の方が不要波の抑圧の効果が非常に高い。空間平均処理のサイズｋは、経験的にアレー全素子数の２／３程度にすると良好な結果が得られることが判明した。
【００４９】
・同一条件でアレーの素子間隔を変化させた場合、素子間隔ｄが搬送波周波数の波長の１／２以下の場合は良好な結果が得られるが、それ以上にすると、サンプリング定理を満足しなくなるため、エイリアジングによる擬似ピークが現れる。
【００５０】
・所望波と不要波の角度分解能は、例えば１２素子、θｓ  ＝０（  Ｈｓ  ＝１），θｕ１＝  １  （  Ｈ１  ＝０），θｕ２＝−１（  Ｈ２  ＝０），  Ｐｓ：  Ｐｕ：  Ｐｎ  ＝１：  １００：  ５０の場合、１度以下の角度分解で１００ｄＢ以上の指向性感度差が得られる程高い。一方、近接した角度で複数の拘束条件を設定すれば、ヌルの幅を広くすることが可能なことも確認した。
【００５１】
・ノイズについては、Ｐｓ：  Ｐｕ：  Ｐｎ  ＝  １：  １００：  １００のように、不要波と同一レベルまで許容してもヌルが形成できることが確認された。
【００５２】
次に、５  ×５  二次元正方形状配列アレー（Ｍ＝Ｎ＝５）のシミュレーションデータに、二次元ＤＣＭＰ法を適用した場合の結果の一例を図７に示す。この例では、所望波Ｓのみに拘束条件（θ  ＝  ３０，φ  ＝  ０，  Ｈ  ＝  １  ）を課し、不要波Ｕｉ  （ｉ  ＝  １，  ２，  ３  ）が３方向から到来した場合の結果である。ここで、Ｐｓ：  Ｐｕ：  Ｐｎ  ＝  １：１００  ：５０とした。黒塗りの矢印は拘束条件を課したことを表し、白抜きの矢印は条件を設定しなかったことを表している。これより所望波Ｓのみの拘束条件の設定で、３つの不要波方向にヌルが正確に形成されることがわかる。ここで、空間平均のサイズはｋ  ＝  ３  とした。
【００５３】
図８は、同じ５  ×５  二次元正方形状配列アレーに対して、入射不要波個数を８個とし、所望波Ｓのみに拘束条件（θ  ＝  ３０，φ  ＝  ０，  Ｈ  ＝  １  ）を課した場合の結果である。図７の場合と同じく、Ｐｓ：  Ｐｕ：  Ｐｎ  ＝  １：１００  ：５０とした。それに対して、到来した所望波と不要波の全てに拘束条件を課した場合の結果を図９に示す。これらの２つの結果から、全ての入射波に拘束条件を課した場合には、不要波に対して拘束条件を課さなかった場合よりも深いヌルが形成されていることが判る。
【００５４】
一般にＭ次の正方形アレーに対して、ｋ次の空間平均処理を行った場合に検出可能な波の個数の最大値はｋ２  である。また、既に述べたように、ＤＣＭＰ法は、拘束条件下で受信電力が最小になるような重みを捜すので、所望波に対する不要波の相対的な電力レベルが大きいほど、ヌルが良好に形成される。したがって、所望波の電力レベルが不要波のそれよりも多少でも大きい場合は、所望波と不要波の両者に拘束条件を課すべきである。このことは、別のシミュレーションで確認した。
【００５５】
図１０は、十字形状アレーに対してシミュレーションを行った場合の結果である。ここで、アレーサイズは図２に示したように、５×５行列の中央３行３列部分とし、図７に示した正方形状アレーと全く同一条件、すなわち所望波Ｓについてのみ拘束条件を課し、空間平均のサイズはｋ  ＝  ３  とした。図から判るように、この条件では正確な方向にヌルが形成されていない。正方形状の場合は素子アンテナの数が２５個であるのに対して十字形状の場合は９個であり、情報量の少なさという点からこの結果は当然と考えられる。これに対して、干渉性妨害波Ｕにも拘束条件（Ｕ１：θ  ＝  ６０，φ  ＝  ９０，  Ｈ  ＝  ０、Ｕ２：  θ  ＝  ６０，φ  ＝  ４５，  Ｈ  ＝  ０、Ｕ３：  θ  ＝  ４５，φ  ＝  −１２０，  Ｈ  ＝  ０）  を課した場合の結果を図１１に示す。この場合の結果を見ると、図７に示した正方形状アレーの場合とほぼ同等の指向性パターンが形成されることが分かる。これより拘束条件を導入すれば、十字形状アレーでも同一サイズの正方形状アレーと同様、不要波に対して正確なヌルが形成できることが確認された。
【００５６】
次に、図１に示した受信信号処理部４がＧＰＳ受信機５の受信点（アレーアンテナ）から見た各ＧＰＳ衛星の方向に関する情報を参照する場合の処理について示す。図１２はそのためのＧＰＳ受信機５と受信信号処理部４の処理を示している。
【００５７】
なお、ＧＰＳ衛星の位置は公開された情報を基に既知として扱うことができるので、この実施形態で示すアルゴリズムの評価や測位装置の性能評価は可能である。すなわち、そのアルゴリズムの正当性は実証できる。
【００５８】
まず、ＧＰＳ受信機５は受信信号Ｐｏｕｔ  を基に各ＧＰＳ衛星からの電波のコード位相およびキャリア位相を観測する（ｓ１１）。また、その受信信号に重畳されている航法メッセージを抽出し、これらの情報を基にして受信点の測位演算を行う（ｓ１２→ｓ１３）。そして、その時点での各ＧＰＳ衛星の位置と受信点の位置との相対位置関係を基に、受信点から見た各ＧＰＳ衛星の３次元方向を求める（ｓ１４）。これらの方向を所望波の到来方向として拘束条件を課してＤＣＭＰ法で最適複素重みＷｏｐｔ  を求める（ｓ１５→ｓ１６→ｓ１７）。そして、その複素重みを複素重み付与部２へ与える。（ｓ１８）。以上の処理を必要に応じて繰り返す（ｓ１９→ｓ１１→・・・）。このことによって、反射波を受けずにＧＰＳ衛星からの直接波のみを受けることになり、より高精度な測位が可能となる。
【００５９】
次に、不要波の到来方向を拘束条件として課す例を示す。図１３は不要波および所望波の電波到来方向を求めるための手順を示している。まず、各素子アンテナからの出力信号をサンプリングし、ＡＤ変換してデータを収集する（ｓ２１）。そして、ＭＵＳＩＣ法によって所望周波数の電波の到来方向を測定する（ｓ２２）。これらの複数の電波到来方向のうち、前述した方法により求めたＧＰＳ衛星の方向以外の電波到来方向を不要波の方向として検出する（ｓ２３）。そして、所望波（ＧＰＳ衛星からの直接波）と不要波（反射波）の到来方向を拘束条件としてＤＣＭＰ法により最適複素重みを求める（ｓ２４→ｓ２５→ｓ２６）。そして、この複素重みを複素重み付与部２へ与える（ｓ２７）。以上の処理を必要に応じて繰り返す（ｓ２８→ｓ２１→・・・）。なお、ステップｓ２４では不要波についてのみ拘束条件を課すようにしてもよい。
【００６０】
上述の測位装置は、当然に固定局と移動局のいずれにも適用できる。但し、移動局の場合、移動体の向く方位と姿勢の変化に伴って、アンテナから見た測位用衛星の相対的な方向が変化する。そのため、移動体の向いている方位と姿勢を検出し、その方位と姿勢に応じて上記指向性パターンを変化させればよい。
【００６１】
また、実施形態では測位装置について示したが、同様にして通信衛星との間で通信を行う場合にも適用できる。すなわち、所望の通信衛星の方向に対するゲインを高めるとともに、不要波方向のゲインを抑制すれば、高ＳＮ比のもとで通信を行うことができる。
【００６２】
以上に示した実施形態では、電波をアレーアンテナで受信する場合について示したが、その他に、水中音響機器であれば、励振素子が超音波振動子であるトランスデューサを用い、所定の指向性パターンで音響信号を受信する装置にも同様に適用できる。例えば、超音波の送受波によって水中探知を行う場合に問題となる、メインローブ以外のサイドローブからの不要波を抑圧する場合等にも適用可能である。特に超音波を扱う場合のように、使用周波数が低ければ、各振動子の受信信号をＡＤ変換した後、すべてソフトウエアによる演算処理で複素重みの付与を行ってもよい。
【００６３】
【発明の効果】
この発明によれば、各励振素子の受信信号の強度を１次元の列ベクトルとしてデータ化することにより、そして、その列ベクトルに対してＤＣＭＰ法により最適複素重みを求めることにより、複数の励振素子を２次元状に配置した２次元励振素子アレーで所望の２次元指向性パターンが得られる。
【００６４】
また、この発明によれば、２次元上に配置された励振素子の受信信号による２次元受信データ行列から複数の小行列を抽出し、それらの小行列について求めた相関行列の１次元の列ベクトルを平均化することによって空間平均がなされ、複数の励振素子が隣接配置していることに伴う相互相関による影響が緩和される。
【００６５】
また、この発明によれば、励振素子を、平面上で十字状に直交するように配置したことにより、複数の励振素子が隣接することによる干渉が緩和され、且つ励振素子の数が大幅に少なくなるので、小型・軽量・低コスト化が図れる。
【００６６】
また、この発明によれば、上記構成のアダプティブアレーと、そのアダプティブアレーによる測位用衛星からの受信信号を基に、そのアダプティブアレーの位置を測位するとともに測位用衛星の方向を求める手段とを備え、測位用衛星の方向を所望波の到来方向とする拘束条件で前記ＤＣＭＰ法を適用するようにしたことにより、マルチパスの発生する環境下でも高精度な測位を維持する。例えば低仰角の測位用衛星についても、その直接波のみを受信して、測位精度の低下を抑えることができる。
【図面の簡単な説明】
【図１】各実施形態に係るアダプティブアレーおよびそれを備えた測位装置の構成を示すブロック図
【図２】２次元アレーアンテナの各素子アンテナの配置例を示す図
【図３】２次元アレーアンテナと電波到来方向の座標系を示す図
【図４】２次元アレーアンテナの各素子アンテナのデータから１次元の列ベクトルへの変換例を示す図
【図５】２次元アレーアンテナの受信データ行列に対する空間平均の処理を示す図
【図６】２次元ＤＣＭＰ法の手順を示すフローチャート
【図７】２次元ＤＣＭＰ法を適用したシュミレーションの結果を示す図
【図８】２次元ＤＣＭＰ法を適用したシュミレーションの結果を示す図
【図９】２次元ＤＣＭＰ法を適用したシュミレーションの結果を示す図
【図１０】２次元ＤＣＭＰ法を適用したシュミレーションの結果を示す図
【図１１】２次元ＤＣＭＰ法を適用したシュミレーションの結果を示す図
【図１２】測位装置に適用した場合のＧＰＳ受信機と受信信号処理部の処理内容を示すフローチャート
【図１３】第３の実施形態に係る測位装置における受信信号処理部４の処理手順を示すフローチャート
【符号の説明】
１−アレーアンテナ
１ａ〜１ｎ−素子アンテナ
２−複素重み付与部
３−加算部
２１−振幅調整器
２２−位相調整器
【図１】
2004336390.tif 000012
【図２】
2004336390.tif 000013
【図３】
2004336390.tif 000014
【図４】
2004336390.tif 000015
【図５】
2004336390.tif 000016
【図６】
2004336390.tif 000017
【図７】
2004336390.tif 000018
【図８】
2004336390.tif 000019
【図９】
2004336390.tif 000020
【図１０】
2004336390.tif 000021
【図１１】
2004336390.tif 000022
【図１２】
2004336390.tif 000023
【図１３】
2004336390.tif 000024